(57)【要約】【課題】碍子から除去された塵芥の飛散を抑制できるようにする。【解決手段】本発明に係る碍子用清掃具は、碍子の表面に付着した塵芥を除去するための碍子清掃具であって、互いに離間して配置した複数条の含水可能な摺接部と、該複数条の摺接部を一端側で一体に支持する支持部とを備え、前記隣合う摺接部と前記支持部とで囲まれる部分は、前記摺接部に給水させた状態で該摺接部を前記表面に摺動させて該表面に付着した塵芥を除去した際に、前記除去された塵芥を受ける受溝とされている。【選択図】図３
2018170120.tif 000002
【特許請求の範囲】
【請求項１】
碍子の表面に付着した塵芥を除去するための碍子用清掃具であって、
互いに離間して配置した複数条の含水可能な摺接部と、該複数条の摺接部を一端側で一体に支持する支持部とを備え、
前記隣合う摺接部と前記支持部とで囲まれる部分は、前記摺接部に含水させた状態で該摺接部を前記表面に摺動させて該表面に付着した塵芥を除去した際に、前記除去された塵芥を受ける受溝とされていることを特徴とする碍子用清掃具。
【請求項２】
少なくとも三条の前記摺接部を備えるとともに、該各摺接部は弾性変形可能とされ、
該摺接部のうちの両側端の二条の前記摺接部の剛性に比べて、該二条の前記摺接部の間に配置された前記摺接部の剛性が高く設定されている請求項１に記載の碍子用清掃具。
【請求項３】
前記両側端の二条の摺接部の先端部には、該両側端の二条の摺接部の間に配置された摺接部側へ向けて傾斜する傾斜面が形成されている請求項２に記載の碍子用清掃具。
【請求項４】
碍子の表面に形成された溝状の凹部を形成する凹面、および該凹面の外側に連続して該凹面に沿うよう形成された外方面に付着した塵芥を除去するための碍子清掃具であって、
前記凹部の長手方向に離間し、且つ前記凹面および外方面に亘る長さを有する複数条の摺接部と、該複数条の摺接部をその基端側で一体に支持する支持部とを備え、
前記各摺接部は、前記凹面の形状に沿い且つ含水可能な第一摺接部と、前記外方面の形状に沿い且つ含水可能な第二摺接部とを備え、
前記隣合う摺接部と前記支持部とで囲まれる部分は、前記第一摺接部を前記凹面の長手方向に摺動させ、前記第二摺接部を前記外方面に摺動させて前記表面に付着した塵芥を除去した際に、前記除去された塵芥を受ける受溝とされていることを特徴とする碍子用清掃具。
【発明の詳細な説明】
【技術分野】
【０００１】
本発明は、碍子を清掃するための碍子用清掃具に関する。
【背景技術】
【０００２】
給電設備に用いられる碍子の表面には塵芥が付着する。塵芥が付着すると、絶縁性が低下することから、碍子を定期的あるいは不定期的に清掃する必要がある。例えば下記特許文献１、特許文献２に、碍子を清掃するための碍子用清掃具が提案されている。
【０００３】
特許文献１、特許文献２には、複数個並べて用いられる碍子が記載されており、一つの碍子は、隣合う碍子と連結される連結部と、円盤状の絶縁部とを一体的に備えている。絶縁部は、絶縁性の向上のためにその表面に複数条の溝状の凹部が形成されている。各凹部は環状に形成されている。
【０００４】
特許文献１、および特許文献２に記載された碍子清掃具は、碍子の各凹部に入り込ませて凹部を形成する凹面に摺接させつつ凹部に沿って摺動させることで、凹面に付着した塵芥を除去する除去部を備える。
【先行技術文献】
【特許文献】
【０００５】
【特許文献１】特公平３−５９６４７号公報
【特許文献２】特開２００２−１７０４４６号公報
【発明の概要】
【発明が解決しようとする課題】
【０００６】
特許文献１、および特許文献２に記載された碍子清掃具は、単に、碍子の各凹部に入り込ませて凹部を形成する凹面に摺接させつつ凹部に沿って摺動させることで、凹面に付着した塵芥を除去する除去部を備えた構成である。このため、碍子から除去された塵芥が飛散する、という問題がある。
【０００７】
そこで、本発明は、碍子の表面から除去された塵芥の飛散を抑制できる碍子用清掃具を提供することを目的とする。
【課題を解決するための手段】
【０００８】
本発明は、碍子の表面に付着した塵芥を除去するための碍子清掃具であって、互いに離間して配置した複数条の含水可能な摺接部と、該複数条の摺接部を一端側で一体に支持する支持部とを備え、前記隣合う摺接部と前記支持部とで囲まれる部分は、前記摺接部に含水させた状態で該摺接部を前記表面に摺動させて該表面に付着した塵芥を除去した際に、前記除去された塵芥を受ける受溝とされていることを特徴とする。
【０００９】
上記構成を備えた碍子用清掃具は、摺接部を碍子の表面に摺動させるようにして用いられ、この摺動により碍子の表面から除去された塵芥は含水した摺接部に吸着され、あるいは、隣合う摺接部と支持部とで囲まれてなる受溝に受けられる。
【００１０】
少なくとも三条の前記摺接部を備えるとともに、該各摺接部は弾性変形可能とされ、該摺接部のうちの両側端の二条の前記摺接部の剛性に比べて、該二条の前記摺接部の間に配置された前記摺接部の剛性が高く設定されている、という構成を採用することができる。
【００１１】
上記構成の碍子用清掃具では、一側端あるいは他側端の摺接部を先行させるようにして碍子用清掃具を一側あるいは他側へ向けて碍子の表面に摺動させるように用いることができ、剛性の低い一側端あるいは他側端の摺接部は、表面に摺動させた際には撓み易いから、塵芥は拭うようにして除去され、剛性の高い摺接部により塵芥は掻取るようにして除去される。
【００１２】
前記両側端の二条の摺接部の先端部には、該両側端の二条の摺接部の間に配置された摺接部側へ向けて傾斜する傾斜面が形成されている、という構成を採用することができる。
【００１３】
上記構成のように、一側端あるいは他側端の摺接部を先行させるようにして碍子用清掃具を一側あるいは他側へ向けて碍子の表面に摺動させるように用いた際に、一側端あるいは他側端の摺接部は碍子の表面により押されることでいっそう撓み易く、碍子の表面を損傷させることなく塵芥が拭われる。
【００１４】
また、本発明は、碍子の表面に形成された溝状の凹部を形成する凹面、および該凹面の外側に連続して該凹面に沿うよう形成された外方面に付着した塵芥を除去するための碍子清掃具であって、前記凹部の長手方向に離間し、且つ前記凹面および外方面に亘る長さを有する複数条の摺接部と、該複数条の摺接部をその基端側で一体に支持する支持部とを備え、前記各摺接部は、前記凹面の形状に沿い且つ含水可能な第一摺接部と、前記外方面の形状に沿い且つ含水可能な第二摺接部とを備え、前記隣合う摺接部と前記支持部とで囲まれる部分は、前記第一摺接部を前記凹面の長手方向に摺動させ、前記第二摺接部を前記外方面に摺動させて前記表面に付着した塵芥を除去した際に、前記除去された塵芥を受ける受溝とされている、ことを特徴とする。
【００１５】
上記構成を備えた碍子用清掃具は、摺接部を碍子の表面に摺動させるようにして用いられ、この摺動により碍子の凹面から除去された塵芥は含水した第一摺接部に吸着され、碍子の前記外方面から除去された塵芥は含水した第二摺接部に吸着され、あるいは、隣合う摺接部と支持部とで囲まれてなる受溝に受けられる。
【発明の効果】
【００１６】
本発明によれば、碍子の表面から除去された塵芥の飛散を抑制することができる、といった効果を奏する。
【図面の簡単な説明】
【００１７】
【図１】図１は、本発明の一実施形態に係る碍子用清掃具の正面図である。
【図２】図２は、図１の平面図である。
【図３】図３は、摺接部を示した平面図である。
【図４】図４は、図３の第一摺接部の断面図である。
【図５】図５は、図３の第二摺接部の断面図である。
【図６】図６は、第三摺接部を示した底面図である。
【図７】図７は、図６の縦断面図である。
【図８】図８は、碍子に碍子用清掃具を実装した状態を示した縦断面図である。
【図９】図９は、碍子に対し碍子用清掃具を周方向に回転させた状態を示した底面図である。
【図１０】図１０（ａ）は、個々の摺接部に不織布を被せて保持した状態を示した断面図、図１０（ｂ）は、摺接部による摺動によって、碍子に付着した塵芥が受溝に落下する状態を示した断面図である。
【図１１】図１１（ａ）は、摺接部の変形例を示した断面図、図１１（ｂ）は、個々の摺接部に不織布を被せて保持した状態を示した断面図である。
【図１２】図１２（ａ）〜（ｃ）は、摺接部の変形例を示した断面図である。
【図１３】図１３（ａ），（ｂ）は、支持部の変形例を示した図である。
【発明を実施するための形態】
【００１８】
本発明の一実施形態に係る碍子用清掃具について説明する。図１に示すように、該碍子用清掃具１は、碍子６の表面Ａに付着した塵芥を除去するために用いられる。ここで、本実施形態における塵芥の除去の対象となる碍子６の概略構成を説明する。該碍子６は、隣合う碍子と連結される連結部６０と、絶縁部６１とを一体的に備えている。絶縁部６１は円盤状に形成されている。連結部６０は絶縁部６１に対して小径に形成され、絶縁部６１の上面から上方に向けて突出するよう形成されている。本実施形態における碍子用清掃具１は、特に、碍子６のうち絶縁部６１の表面Ａに付着した塵芥を除去するために用いられる。絶縁部６１の表面Ａは下面と上面とを有し、該下面には、絶縁性の向上のための溝状の凹面６１０が形成されている。凹面６１０は複数形成され、同心の環状に形成されている。凹面６１０の外側には凹面６１０に対応する外方面（凸面）６１１が形成されている。前記上面は、中心側を上方に向けて凸とする湾曲面６１２とされている。湾曲面６１２の中心に、連結部６０が形成されている。
【００１９】
つぎに本実施形態に係る碍子用清掃具について、図面を参照しつつ説明する。碍子用清掃具１は、図１〜図７に示すように、塵芥除去部Ｒと、該塵芥除去部Ｒを、塵芥を除去させる方向に操作する操作部Ｈとを備える。
【００２０】
塵芥除去部Ｒは、図３〜図８に示すように、摺接部４および支持部５を備える。摺接部４および支持部５は清掃具ユニットＹとされて、操作部Ｈに一対で取付けられる。双方の清掃具ユニットＹ，Ｙは同様の構成であって、碍子６の中心に対して対称構成であるため、一方の清掃具ユニットＹについて説明する。
【００２１】
支持部５は、図４、図５および図７に示すように、該複数条の摺接部４を一端側で支持する。支持部５は、碍子６の外周端及び内周端に亘る長さを有する第一摺接部４ａおよび第二摺接部４ｂを基端側で支持する第一支持部５ａと、第三摺接部４ｃを基端側で支持する第二支持部５ｂとを備える。
【００２２】
第一支持部５ａは、碍子６の外周端及び内周端に亘る長さを有する本体５０ａと、該本体５０ａの上面に形成され、第一摺接部４ａ及び第二摺接部４ｂを支持する支持面５１ａと、該本体５０ａの下面に形成され、操作部Ｈに連結するための第一連結部５２と、該本体５０ａの端部に形成され、第二支持部５ｂを連結するための第二連結部５３と、を備える。
【００２３】
本体５０ａは、外形が平面視矩形状で、本体５０ａの下面の内側が厚肉に形成され、該下面の外側が内側よりも薄肉に形成されている。内側の厚肉部には、操作部Ｈに対し連結可能に形成された、第一連結部５２としての嵌合凹部５２０が形成されている。
【００２４】
本体５０ａの上面は、第一摺接部４ａを支持する支持面５１ａと第二摺接部４ａを支持する支持面５１ａとによって、連続した凹凸状に形成されている。第一摺接部４ａを支持する支持面５１ａは、第一摺接部４ａの先端を碍子６の凹面６１０に摺接させる高さを有している。第二摺接部４ａを支持する支持面５１ａは、第一摺接部４ａを支持する支持面５１ａよりも背が低く、第二摺接部４ｂの先端を碍子６の外方面６１１に摺接させる高さを有している。
【００２５】
第二連結部５３は、長手方向に沿って延出された一対の突片５３０，５３０を備え、該一対の突片５３０，５３０には、第二支持部５ｂを回転自在に支持する軸Ｊを挿通するための挿通孔５３ａが形成されている。
【００２６】
第二支持部５ｂは、碍子６の湾曲面６１２に沿うように円弧状に形成された本体５０ｂと、該本体５０ｂに形成され、第三摺接部４ｃを支持する支持面５１ｂと、第一支持部５ａの第二連結部５３と連結するための第三連結部５４と、を備える。第二支持部５ｂは、第一支持部５ａに軸Ｊを介して回転自在に支持され、軸Ｊに設けられた巻ばね（図示せず）によって第一支持部５ａ側に常時付勢されている。第二支持部５ｂと第一支持部５ａとの間隔は、碍子６の絶縁部６１の上面と下面との間隔よりも小さく設定され、巻ばねにより、第一支持部５ａが碍子６の絶縁部６１の下面（凹面６１０および外方面６１１）に圧接し、第二支持部５ｂが碍子６の絶縁部６１の上面（湾曲面６１２）に圧接するよう構成されている。
【００２７】
第三連結部５４は、一対の突片５３０，５３０間に挿入される支持部５４０を備え、該支持部５４０には、前記軸Ｊを挿通するための挿通孔５４ａが形成されている。
【００２８】
摺接部４は、凹面６１０の形状に沿って形成された第一摺接部４ａと、外方面６１１の形状に沿って形成された第二摺接部４ｂとを備える。
【００２９】
さらに、摺接部４は、図６〜図８に示すように、碍子６の湾曲面６１２の周方向に離間し、且つ碍子６の外周端及び内周端に亘る長さを有する第三摺接部４ｃを備える。第三摺接部４ｃは、碍子６の湾曲面６１２に沿って形成されている。
【００３０】
摺接部４は、図３〜図５に示すように、互いに離間して配置され含水可能に構成される。具体的に、摺接部４は、碍子６の凹部の長手方向に離間し、且つ凹面６１０および外方面６１１に亘る長さを有する弾性変形可能な複数条の突条体４Ａと、該各突条体４Ａに被せられ水分を含ませた合成繊維からなる不織布Ｗとを備える。
【００３１】
各突条体４Ａは、第一支持部５ａの支持面５１ａに対して垂直に配置され、同じ高さで、かつ等間隔に配置されている。各突条体４Ａの先端部は、碍子６の凹面６１０に対し、該凹面６１０に倣うように凸状に形成され、碍子６の外方面６１１に対し、該外方面６１１に倣うように凹状に形成されている。碍子の湾曲面６１２に対し、該湾曲面６１２に倣うように円弧状に形成されている。
【００３２】
一側端の突条体４Ａの先端部には、これと隣合う突条体４Ａと対向する対向面４１とは反対側の面に、前記隣合う突条体４Ａ側に向かって傾斜する傾斜面４３が形成され、先端が尖った形状になっている。他側端の突条体４Ａの先端部には、これと隣合う突条体４Ａと対向する対向面４１とは反対側の面に、前記隣合う突条体４Ａ側に向かって傾斜する傾斜面４３が形成され、先端が尖った形状になっている（図４および図５参照）。
【００３３】
複数条の突条体４Ａのうち、一側端の突条体４Ａおよび他側端の突条体４Ａの剛性に比べて、これら二条の間に配置された残り二条の突条体４Ａ，４Ａの剛性は高く設定されている。具体的に、一側端の突条体４Ａの傾斜面４３の下側には、不織布Ｗの一端部を係止させる係止溝４４が、厚み方向中央に向かって形成され、他側端の突条体４Ａの傾斜面４３の下側には、前記不織布Ｗの他端部を係止させる係止溝４４が、幅方向中央に向かって形成されている（図４および図５参照）。係止溝４４が形成されている分、両側端の突条体４Ａ，４Ａの基端部側の剛性は先端部側の剛性よりも低くなっている。このため、両側端の突条体４Ａ，４Ａは、両側端の突条体４Ａ，４Ａ間の突条体４Ａよりも撓みやすくなっている。
【００３４】
両側端の突条体４Ａ，４Ａ間の突条体４Ａは、断面矩形状で、基端から先端まで同じ厚みで形成され、先端は平坦な面となっている。
【００３５】
各突条体４Ａ間には、前記凹面６１０から除去された碍子６の塵芥を受けるための受溝となる溝が、例えば三条形成されている。該複数の溝４０ａ〜４０ｃのうち、一側の溝４０ａは、一側端の突条体４Ａとこれと隣合う突条体４Ａとが互いに対向する二つの対向面４１，４１と、該二つの対向面４１，４１間の第一支持部５ａの支持面５１ａとで囲まれて形成されている。他側の溝４０ｂは、他側端の突条体４Ａとこれと隣合う突条体４Ａとが互いに対向する二つの対向面４１，４１と、該二つの対向面４１，４１間の第一支持部５ａの支持面５１ａとで囲まれて形成されている。隣合う突条体４Ａ，４Ａ同士間の溝４０ｃは、隣合う突条体４Ａ，４Ａ同士が対向する二つの対向面４１，４１と、該二つの対向面４１，４１間の第一支持部５ａの支持面５１ａとで囲まれて形成されている（図３〜図７参照）。各溝４０ａ〜４０ｃと各突条体４Ａとに密着するように不織布Ｗを取付けることで、第一摺接部４ａおよび第二摺接部４ｂと、複数の受溝４０ａ〜４０ｃとが形成される。
【００３６】
第三摺接部４ｃは、第一摺接部４ａおよび第二摺接部４ｂと同様に、複数条の突条体４Ａと、各突条体４Ａ間の受溝４０ａ〜４０ｃと、両側端の突条体４Ａの傾斜面４３と、両側端の突条体４Ａの係止溝４４と、不織布Ｗとを備えている（図６および図７参照）。
【００３７】
操作部Ｈは、図１，図２，図９に示すように、操作棒２と、該操作棒２の先端部に支持された取付体３とを備える。
【００３８】
操作棒２は、絶縁体からなる樹脂製の棒であり、図１および図２に示すように、その先端部に取付体３を連結するための操作棒用連結部２０を備える。
【００３９】
操作棒用連結部２０は、操作棒２の先端部の周面に、操作棒２の軸方向に対し直交方向に取付けられた雄ねじ２００と、該雄ねじ２００に螺合する蝶ナット２０１とを備える。
【００４０】
取付体３は、円弧状（二股状）のアーム３０からなる。該アーム３０の最大径部（中央部）には、半円状の連結部３１が形成され、該連結部３１には、前記雄ねじ２００を挿通するための挿通孔３１ａが形成されている（図９参照）。アーム３０の両端部には、アーム３０の延びる方向に対して直交方向に、摺接部４と連結するための一対の嵌合凸部３２，３２が配置されている。該一対の嵌合凸部３２，３２に、第一連結部５２の一対の嵌合凹部５２０が嵌合し、アーム３０の一端部に一方の清掃具ユニットＹが配置され、アーム３０の他端部に他方の清掃具ユニットＹが配置される。
【００４１】
つぎに本実施形態に係る碍子用清掃具の組立手順について図８〜図１０（ａ），（ｂ）を参照して説明する。まず、作業者は、不織布Ｗを、複数条の突条体４Ａと、突条体４Ａ間の凹状の溝とに密着するように被せ、不織布Ｗの両端部を両側端の突条体４Ａ，４Ａの係止溝４４，４４に係止させ、前記密着状態を保持する。これにより、第一摺接部４ａ、第二摺接部４ｂ、第三摺接部４ｃ、受溝４０ａ〜４０ｃが形成される。
【００４２】
つぎに、作業者は、碍子６の絶縁部６１の両側に、一対の清掃具ユニットＹ，Ｙを配置させた状態で、操作棒２を用いて（把持して）碍子６の中心側に向かって一対の清掃具ユニットＹ，Ｙを碍子６の絶縁部６１に対し摺動させる。
【００４３】
摺接部４が碍子６の絶縁部６１に対し中心に位置するように押し込むと、摺接部４の第一摺接部４ａが絶縁部６１の凹面６１０に嵌り、第二摺接部４ｂが絶縁部６１の外方面６１１に当接し、第三摺接部４ｃが碍子６の湾曲面６１２に当接する。これにより、一対の清掃具ユニットＹ，Ｙが碍子６にセットされる。なお、操作棒２が碍子６の中心に対し交差する方向に位置する。
【００４４】
つぎに本実施形態に係る碍子用清掃具の使用方法について説明する。まず、作業者は、図９に示すように、操作棒２を操作し、複数条の第一摺接部４ａのうち、一側端あるいは他側端の摺接部４を先行させるようにして、一対の清掃具ユニットＹ，Ｙを碍子６の周方向に往復動させる。すなわち、一側端あるいは他側端の摺接部４は、碍子６の凹面６１０に沿って摺動する。この際、図１０（ｂ）に示すように、剛性の低い一側端あるいは他側端の摺接部４は、前記凹面６１０により押されることで撓み易く、碍子６の前記凹面６１０を損傷させることなく塵芥Ｄが拭われる。剛性の高い摺接部４は、摺動方向とは反対方向に傾斜しつつ前記凹面６１０に摺動し、塵芥Ｄを掻取るようにして除去する。除去された塵芥Ｄは不織布Ｗに吸着され、あるいは、隣合う摺接部４間の受溝４０ａ〜４０ｃに落下し、受溝４０ａ〜４０ｃで受けられる。
【００４５】
複数条の第二摺接部４ｂでは、その先端が絶縁部６１の外方面６１１に摺動し、前記と同様に、除去された塵芥Ｄは不織布Ｗに吸着され、あるいは、隣合う摺接部４間の受溝４０ａ〜４０ｃに落下し、受溝４０ａ〜４０ｃで受けられる。
【００４６】
複数条の第三摺接部４ｃでは、その先端が碍子６の湾曲面に摺接した状態で、前記湾曲面に沿って摺動し、前記と同様に、除去された塵芥Ｄは不織布Ｗに吸着され、あるいは、隣合う摺接部４間の受溝４０ａ〜４０ｃに落下し、受溝４０ａ〜４０ｃで受けられる。
【００４７】
例えば、複数の碍子６が上下方向に連結されている場合は、碍子用清掃具１の受溝４０ａ〜４０ｃの開口を上向きにさせた状態で、碍子６に対し周方向に回動させるため、碍子６の塵芥は、自重によって下向きに落下し、受溝４０ａ〜４０ｃの底壁（二つの摺接部４，４間の支持面５０）で受けられる。また、例えば、複数の碍子６が水平方向に連結されている場合は、碍子用清掃具１の受溝４０ａ〜４０ｃの開口を横向きにさせた状態で、碍子６に対し周方向に回動させるため、碍子６の塵芥は、受溝４０ａ〜４０ｃ二つの側壁のうちのいずれかの側壁（二つの摺接部４，４の対向面４１，４１のうちのいずれかの対向面４１）により受けられる。
【００４８】
このように、本実施形態に係る碍子用清掃具は、碍子６を清掃する際に生じる塵芥の飛散を少なくすることができる。
【００４９】
なお、本実施形態に係る碍子用清掃具は、図示に限定されるものではなく、種々変更することができる。
【００５０】
例えば、前記実施形態では、清掃具ユニットＹを一対設けるようにしたが、一つであってもよい。また、碍子用清掃具１としては、清掃具ユニットＹを構成する必要はなく、第一摺接部４ａ、第二摺接部４ｂ、第三摺接部４ｃの少なくともいずれか一つを備えてあればよい。
【００５１】
また、前記実施形態では、操作棒２を介して清掃具ユニットＹを操作するようにしたが、支持部５を直接手動で操作するようにしてもよい。但し、この場合、支持部５に、支持部５を摘み易くするための摘持部を形成することが好ましい。
【００５２】
また、前記実施形態では、傾斜面４３を有する突条体４Ａ，４Ａ間に、断面が矩形状の突条体４Ａ，４Ａを二つ備えるようにしたが、断面が矩形状の突条体４Ａ，４Ａは二つより多くてもよく、一つであってもよい。要は、隣合う突条体４Ａ，４Ａ間に受溝が形成されてあればよい。
【００５３】
また、前記実施形態では、突条体４Ａ〜４Ａと、不織布Ｗとで摺接部４を構成したが、これに限定されるものではなく、例えば含水させた状態のスポンジからなる突条体と、エンボス加工されたシートとで摺接部を構成してもよい。また、表面に凹凸部を形成した、含水させた状態のスポンジからなる突条体のみの摺接部であってもよい。要は、含水させた状態の摺接部によって、碍子６に付着した塵芥を効率よく吸着できればよい。
【００５４】
また、前記実施形態では、支持部５の両端に、傾斜面４３を有する突条体４Ａ，４Ａを配置したが、円弧面を有する突条体を配置するようにしてもよい。例えば、図１１（ａ）に示すように、支持部５の両端に、外方に向かって湾曲する突条体４Ｂ，４Ｂを配置する。この場合、該両突条体４Ｂ，４Ｂが湾曲している分、これと隣合う突条体４Ａ，４Ａとの間に、前記実施形態の受溝４０ａ，４０ｂよりも大きな受溝４０ｄ，４０ｄとなる溝を形成できる。これにより、碍子６の表面Ａに付着した塵芥を受け止めやすくなる。受溝４０ｄは、一側端の突条体４Ｂの対向面４１０と、これと隣合う突条体４Ａの対向面４１と、支持部５ｃの支持面５００とで形成される。また、図１１（ｂ）に示すように、支持部５ｃの両側面に形成された係止溝４４０，４４０に、不織布Ｗの両端を係止させ、不織布Ｗを突条体４Ｂ，４Ａ，４Ａ，４Ｂに弛ませるように被せて摺接部４〜４を形成するようにしてもよい。この場合、塵芥に対する不織布Ｗの接触面積が大きくなる。
【００５５】
また、前記実施形態では、複数条の摺接部４間に溝４０ａ〜４０ｃを形成するようにしたが、例えば、図１２（ａ）に示すように、支持部５ｃの両端のみに傾斜面４３を有する突条体４Ａ，４Ａを配置し、該両端の突条体４Ａ，４Ａ間に受溝４０ｄを形成するようにしてもよい。該受溝４０は、両突条体４Ａ，４Ａの対向面４１，４１と、支持部５ｃの支持面５０ｃとで形成される。
【００５６】
上記構成により、いずれか一方の突条体４Ａを先頭に回転させると、該一方の突条体４Ａと他方の突条体４Ａとの間に形成された受溝４０ｄにより、碍子６の表面Ａから除去された塵芥が受けられる。
【００５７】
また、図１２（ｂ）に示すように、第一支持部５ａの両側部に、傾斜面４３を有する突条体４Ａ，４Ａを配置し、該両突条体４Ａ，４Ａのうちの少なくともいずれか一方の外方に、該突条体４Ａよりも背の低い突条体４Ｃを配置するようにしてもよい。また、図１２（ｃ）に示すように、支持部５ｃの両側部に、断面が矩形状の突条体４Ａ，４Ａを配置し、これらのうちの少なくともいずれか一方の外方に、該突条体４Ａよりも背の低い突条体４Ｃを配置するようにしてもよい。
【００５８】
上記構成により、一側端の突条体４Ｃを先頭に回転させた場合は、一側端の突条体４Ｃと、これと隣合う突条体４Ａとの間に形成された受溝４０ｅにより、碍子６の表面Ａから除去された塵芥が受けられる。また、他側端の突条体４Ｃを先頭に回転させた場合は、他側端の突条体４Ｃと、これと隣合う突条体４Ａとの間に形成された受溝４０ｅにより、前記表面Ａから除去された塵芥が受けられる。
【００５９】
また、前記実施形態では、第一支持部５ａの形状を平面視矩形状としたが、これに限定されるものではなく、例えば、図１３（ａ）に示すように、扇形状の支持部５Ａであってもよく、図１３（ｂ）に示すように、回転する方向に向かって湾曲する円弧状の支持部５Ｂであってもよい。要は、支持部５の形状として、碍子６の表面に対し周方向に回転できる形状であればよい。
【符号の説明】
【００６０】
１…碍子用清掃具、２…操作棒、２０…連結部、２００…雄ねじ、２０１…蝶ナット、３…取付体、３０…アーム、３１…連結部、３１ａ…挿通孔、４…摺接部、４Ａ〜４Ｃ…突条体、４ａ…第一摺接部、４ｂ…第二摺接部、４ｃ…第三摺接部、４１…対向面、４２…反対側の面、４３…傾斜面、４４…係止溝、４０ａ〜４０ｄ…受溝、４５…突条体、５，５Ａ，５Ｂ…支持部、５ａ…第一支持部、５ｂ…第二支持部、５ｃ…支持部、５０…支持面、５０ａ…支持部の本体、６…碍子、６０…連結部、６１…絶縁部、６１０…凹面、６１１…外方面（凸面）、Ａ…表面、Ｂ…周面、Ｄ…塵芥、Ｈ…操作部、Ｒ…塵芥除去部、Ｗ…不織布、Ｙ…清掃具ユニット
【図１】
2018170120.tif 000003
【図２】
2018170120.tif 000004
【図３】
2018170120.tif 000005
【図４】
2018170120.tif 000006
【図５】
2018170120.tif 000007
【図６】
2018170120.tif 000008
【図７】
2018170120.tif 000009
【図８】
2018170120.tif 000010
【図９】
2018170120.tif 000011
【図１０】
2018170120.tif 000012
【図１１】
2018170120.tif 000013
【図１２】
2018170120.tif 000014
【図１３】
2018170120.tif 000015